(57)【要約】【課題】電子機器の誤動作を防ぎ、ポジション切り替え時における、切り替え前後のコードが混在して出力されることのないロータリスイッチを提供することを目的とする。【解決手段】ロータ裏面に各出力コードに対応する凹凸カムの他に、コモン接片用の凹凸カムも設け、コモン接片も開閉できるようにし、ポジション切り替え時にコモン接片と固定接片間が開離し、接触片が閉接した後、前記コモン接片と前記固定接片間が再度閉接し、次のコードを出力するようにしたため、ポジション切り替え前後の混在したコードを出力することをなくし、各種電子機器の誤動作を防ぐロータリスイッチを提供する。  【選択図】      図３
2006079837.tif 000002
【特許請求の範囲】
【請求項１】
スイッチ本体をハウジングとベースで構成し、前記ハウジングの上面より突出した操作部と、該操作部と一体的に形成されスイッチ本体内に配設されるロータと、前記ベースの内底面に配設された複数の固定接片と対向して配設される弾性部材で形成した可動接片と、前記操作部の回転操作に連動して回転する前記ロータにより前記可動接片を上下動させて電路の開閉をなすロータリスイッチにおいて、前記ロータの裏面部に前記可動接片の接触片とコモン接片を上下動させて各出力コードを開閉する凹凸カムを形成し、出力コード切り替え時に前記コモン接片をも上下動させて前記固定接片間を開閉することを特徴とするロータリスイッチ。
【請求項２】
請求項１記載のロータリスイッチにおいて、出力コード切り替え時に前記コモン接片と前記固定接片間が開離し、前記接触片が閉接した後、前記コモン接片と前記固定接片間が再度閉接し、次のコードを出力するように前記ロータの裏面部に凹凸を構成したことを特徴とするロータリスイッチ。
【請求項３】
請求項１記載のロータリスイッチにおいて、前記コモン接片を押下する前記ロータ裏面の凹凸カムを最外周に設けたことを特徴とするロータリスイッチ。
【発明の詳細な説明】
【技術分野】
【０００１】
本発明は、各種電子機器の信号系を切り替えるロータリスイッチに係り、特に小形で組立が容易であるとともに、ポジション切り替え時にコモン接片の開閉に特徴を持たせたロータリスイッチに関するものである。
【背景技術】
【０００２】
従来、各種電子機器の信号系を切り替えるロータリスイッチは、図４に示すようにポジションを切り替える際に、ロータが回転することにより、ロータ裏面部に設けた凹凸カムが可動接片の接触片を押下し、固定接片と接触することで各コードを出力していた。
【特許文献１】なし
【発明の開示】
【発明が解決しようとする課題】
【０００３】
しかしながら、上記のような従来のロータリスイッチは図４、図５に示すように、コモン接片が常に閉接されており、また、他の接片は全て同じタイミングで開閉が行われておらず、開閉のタイミングに微妙なズレが生じていた。そこで、本発明は上記問題を解決する目的で、コモン接片の開閉に特徴を持たせたロータリスイッチを提供することを目的とする。
【課題を解決するための手段】
【０００４】
本発明は、上記目的を達成するために、ロータリスイッチにおいて、前記ロータの裏面部に凹凸カムを形成し、前記凹凸カムにコモン接片用の凹凸も設け、さらに前記コモン接片用の凹凸により上下動する可動接片の接触片とコモン接片とを構成し、コモン接片も開閉できるようにした。
【発明の効果】
【０００５】
本発明のロータリスイッチは、ロータ裏面に凹凸カムを形成し、該凹凸カムにコモン接片用の凹凸も設け、さらに前記コモン接片用の凹凸により上下動する可動接片の接触片とコモン接片とを構成し、コモン接片も開閉できるようにした。該コモン接片はポジション切り替え時に、固定接片と開離し、接触片が閉接した後、前記固定接片と再度閉接し、次のコードを出力するようにしたためポジションを切り替える際の前後のコードが混在して出力されることがなくなり、機器の予期せぬ誤動作を防ぐことができる。
【０００６】
また、コモン接片用凹凸カムを最外周に設けたことにより、内側に設けるよりも凹凸カムの斜面部の角度を緩やかにすることができるので、ロータ回転時に凹凸カムとコモン接片との磨耗を減らし、スイッチの寿命を延ばすことができ、さらには、凹凸カムの凸部と前記コモン接片との接触時間を長くすることができるので、ロータが微動してしまった場合でも誤コードの出力を防ぎ、接触裕度を高めることができる。
【発明を実施するための最良の形態】
【０００７】
本発明のロータリスイッチは、ハウジングとベースで構成し、前記ハウジングの上面より突出した操作部と、該操作部と一体的に形成されスイッチ本体内に配設されるロータと、前記ベースの内底面に配設された複数の固定接片と対向して配設される弾性部材で形成した可動接片と、前記操作部の回転操作に連動して回転する前記ロータから構成され、前記ロータの裏面構造に特徴を持たせることにより、ポジションを切り替えるごとにコモン接片を開閉させ、切り替え前後の混在したコード出力を無くし、各種電子機器の誤動作を防ぐことができる。
【実施例１】
【０００８】
以下、本発明の実施例について、図面を参照しながら詳細に説明する。図１は本発明の実施例を表すロータリスイッチの分解斜視図、図２は本発明のロータリスイッチのロータの裏面図、図３は本発明の実施例を示すロータリスイッチの各ポジションにおける出力コード、図４は従来のロータリスイッチのロータ裏面図、図５は従来のロータリースイッチの各ポジションにおける出力コードである。
【０００９】
図１において、ハウジング１０１とベース１０７でスイッチ本体部分を構成するとともに、ロータ１０５の上面に設けた凹凸１０５ａと、板バネ１０３の固定部１０３ａから伸びる腕部１０３ｂに設けた突起１０３ｃで切換節度機構を形成するロータ１０５の操作部１０５ｂを、上面に貫通孔１０１ａを形成するハウジング１０１の内側から組み入れ、スイッチ本体内部には、ロータ１０５の回動に伴い、ロータ１０５の裏面部に設けた凹凸カム１０５ｃに連動する切換機構として、複数の端子１０７ａを突出させたベース１０７の内底面に突起１０７ｂを設け、固定接片１０７ｃに対応して接触する、複数の接触片１０６ａとコモン接片１０６ｂを設けた可動接片１０６を組み込む構成としている。
【００１０】
なお、上部のＯリング１０２はハウジング１０１とロータ１０５間の摺動部をシーリングし、また下方のＯリング１０４はハウジング１０１の溝に装着してフラックス等の浸入を防止するためのものである。
【００１１】
図２は本発明のロータの裏面図である。この図に示すように、矢印の方向にロータが回転を行い、各コードに対応するロータ裏面の凸部が可動接片１０６の接触片１０６ａとコモン接片１０６ｂを押下し、前記接触片１０６ａと前記コモン接片１０６ｂが固定接片１０７ｃに接触し、各コードが出力される。
【００１２】
例えば、ポジションを１から２へ切り替える際には、図２（ａ）に示すように固定接点ＣＯＭと固定接片１がコードＣＯＭとコード１の凸部により接触片とそれぞれ閉接し、コード１が出力される。次に、図２（ｂ）に示すようにコード１からコード２へ回転する途中では、固定接片１の開離と固定接片２の閉接が起こるが、コードＣＯＭの斜面部によりコモン接片と固定接片ＣＯＭは開離し、コードは出力されない。最後に図２（ｃ）に示すように、コモン接片が再び固定接片ＣＯＭと閉接し、コード２が出力される。
【００１３】
図３は本発明の実施例を示すロータリスイッチの各接片の出力コードである。この図に示すように、０から９の出力コードは２進化１０進法により１、２、４、８の各接片の開閉による組み合わせにより出力される。この組み合わせにコモン接片の開閉を組み合わせ切り替え前後の混在したコードが出力されることをなくした。
【００１４】
また、本発明は上記実施例に限定されるものではなく、本発明の趣旨に基づいて種々の変形が可能であり、これらを本発明の範囲から排除するものではない。
【産業上の利用可能性】
【００１５】
本発明のロータリスイッチは、ポジションを切り替える際に前後のコードが混在して出力されることがなく、各種電子機器の信号系を切り替える際のロータリスイッチに好適である。
【図面の簡単な説明】
【００１６】
【図１】本発明の実施例を表すロータリスイッチの分解斜視図である。
【図２】本発明のローターリスイッチのロータ裏面図である。
【図３】本発明のロータリスイッチの各ポジションにおける出力コードである。
【図４】従来のロータリスイッチのロータ裏面図である。
【図５】従来のロータリスイッチの各ポジションにおける出力コードである。
【符号の説明】
【００１７】
１０１  ハウジング
１０１ａ  貫通孔
１０２、１０４  Ｏリング
１０３  板バネ
１０３ａ  固定部
１０３ｂ  腕部
１０３ｃ  突起
１０５  ロータ
１０５ａ  凹凸
１０５ｂ  操作部
１０５ｃ  凹凸カム
１０６  可動接片
１０６ａ  接触片
１０６ｂ  コモン接片
１０７  ベース
１０７ａ  端子
１０７ｂ  突起
１０７ｃ  固定接片
【図１】
2006079837.tif 000003
【図２】
2006079837.tif 000004
【図３】
2006079837.tif 000005
【図４】
2006079837.tif 000006
【図５】
2006079837.tif 000007